(57)【要約】【課題】誤って指定された宛先に発信、送信、あるいは接続等することを防ぐことができる通信装置を提供する。【解決手段】各種の入出力情報を表示する表示部と、通信相手先の情報を少なくとも記憶する記憶部と、記憶部に記憶されている通信相手先の情報を利用せずに、通信相手先の情報のうちのいずれか一つを指定する操作部と、通信相手先の情報を操作部により指定し、送信、発信、接続、もしくは登録のために必要な操作を実行した後に、操作部により指定した通信相手先の情報と記憶部に記憶された通信相手先の情報とを比較し、比較した結果を表示部に警告メッセージとして表示させる制御部と、を備える。【選択図】図１
2007259407.tif 000002
【特許請求の範囲】
【請求項１】
各種の入出力情報を表示する表示部と、通信相手先の情報を少なくとも記憶する記憶部と、前記記憶部に記憶されている前記通信相手先の情報を利用せずに、前記通信相手先の情報のうちのいずれか一つを指定する操作部と、前記通信相手先の情報を前記操作部により指定し、送信、発信、接続、もしくは登録のために必要な操作を実行した後に、前記操作部により指定した前記通信相手先の情報と前記記憶部に記憶された前記通信相手先の情報とを比較し、前記比較した結果を前記表示部に警告メッセージとして表示させる制御部と、を備えることを特徴とする通信装置。
【請求項２】
前記通信相手先の情報は、通信相手の氏名情報と、電話番号、メールアドレスの少なくとも一方の情報を含むアドレス帳と、URL情報を含むブックマーク帳であることを特徴とする請求項１記載の通信装置。
【請求項３】
前記通信相手先の情報として、前記通信相手と関連付けられた画像情報をさらに含むことを特徴とする請求項２記載の通信装置。
【請求項４】
前記警告メッセージは、前記操作部により指定した前記通信相手先の情報が前記記憶部に記憶されているか否かの通知、前記操作部により指定した前記通信相手先の情報と類似する情報が前記記憶部に記憶されているか否かの通知、前記類似する情報が前記記憶部に記憶されている場合はその情報の通知のいずれか一つを少なくとも含むものであることを特徴とする請求項１から請求項３のいずれかに記載の通信装置。
【請求項５】
前記類似する情報が画像情報と合わせて前記記憶部に記憶されている場合は、前記類似する情報の通知に前記画像情報を付加して前記表示部に表示する、もしくは、前記類似する情報の通知に代えて前記画像情報を通知して前記表示部に表示することを特徴とする請求項４記載の通信装置。
【請求項６】
前記制御部は、前記操作部により指定した前記通信相手先の情報が複数存在する場合は、複数の前記通信相手先の情報同士を比較し、前記通信相手先の情報同士が同一である又は類似している場合は、その同一又は類似の前記通信相手先の情報が存在することをさらに前記表示部に表示することを特徴とする請求項１から請求項５のいずれかに記載の通信装置。
【請求項７】
前記操作部による指定は、英文字、数字、漢字、平仮名、カタカナ、記号を含む文字記号情報をキー操作により個別に入力することで行うことを特徴とする請求項１から請求項６のいずれかに記載の通信装置。
【請求項８】
前記操作部による指定は、関係するリンク先として前記表示部に表示された前記URL情報を指定することにより行うことを特徴とする請求項１から請求項６のいずれかに記載の通信装置。
【請求項９】
前記記憶部は、前記表示部に表示させる文字の基本寸法と、前記基本寸法以外の選択可能な異なる文字の寸法をさらに記憶し、前記制御部は、前記警告メッセージを前記表示部に表示する際に、少なくとも前記類似する情報の通知の部分を前記基本寸法より大きな寸法にすることを特徴とする請求項４から請求項６のいずれかに記載の通信装置。
【請求項１０】
通信相手先の情報のうちのいずれか一つを操作部により指定する指定ステップと、送信、発信、もしくは接続のために必要な操作を実行する実行ステップと、前記実行ステップの後に、入力した前記通信相手先の情報と、予め記憶部に記憶されている前記通信相手先の情報とを比較する比較ステップと、前記比較ステップの結果を表示部に警告メッセージとして表示する表示ステップと、を含むことを特徴とする通信方法。
【請求項１１】
前記警告メッセージは、前記操作部により指定した前記通信相手先の情報が前記記憶部に記憶されているか否かの通知、前記操作部により指定した前記通信相手先の情報と類似する情報が前記記憶部に記憶されているか否かの通知、前記類似する情報が前記記憶部に記憶されている場合はその情報の通知のいずれか一つを少なくとも含むものであることを特徴とする請求項１０記載の通信方法。
【請求項１２】
前記操作部による指定は、英文字、数字、漢字、平仮名、カタカナ、記号を含む文字記号情報をキー操作により個別に入力することで行うことを特徴とする請求項１０もしくは請求項１１記載の通信方法。
【請求項１３】
前記操作部による指定は、関係するリンク先として前記表示部に表示されたURL情報を指定することにより行うことを特徴とする請求項１０もしくは請求項１１記載の通信方法。
【請求項１４】
前記記憶部は、前記表示部に表示させる文字の基本寸法と、前記基本寸法以外の選択可能な異なる文字の寸法をさらに記憶し、前記警告メッセージを前記表示部に表示する際に、少なくとも前記類似する情報の通知の部分を前記基本寸法より大きな寸法にすることを特徴とする請求項１０もしくは請求項１１記載の通信方法。
【発明の詳細な説明】
【技術分野】
【０００１】
本発明は、誤って指定された宛先に発信、送信、あるいは接続等することを防ぐことができる通信装置および通信方法に関する。
【背景技術】
【０００２】
従来の携帯電話機やパーソナルコンピュータ、固定電話機、或いはファクシミリ等の通信装置では、電話番号を指定して発信する場合や、メールアドレスを指定して電子メールを送信する場合、或いはＵＲＬ（Uniform Resource Locator）を指定してサーバに接続する場合には、電話番号やメールアドレス或いはＵＲＬに些細な誤入力があっても、これを発見する術がなく、発信や送信或いは接続を実行している。
【０００３】
特許文献１に記載されている電子メールの転送システムには、発信者により送信された電子メールの宛先として指定されたメールアドレスに些細な誤入力があって、そのメールアドレスが存在しなかった場合に、発信者に、正しいと思われる宛先を示したり、或いは、正しいと思われる宛先に自動転送したりする技術が開示されている。
【特許文献１】特開平６−１２５３５９号公報
【発明の開示】
【発明が解決しようとする課題】
【０００４】
ところで、実際には、誤って指定した電話番号やメールアドレス等が存在することは、少なくない。この場合、発信者が宛先の指定を誤っていることに気づかずに通信を実行してしまうと、間違い電話をかけてしまったり、誤った宛先にＦＡＸや電子メールを送信してしまったりすることとなり、不都合である。
【０００５】
特許文献１に記載の電子メールの転送システムは、誤って指定したメールアドレスが存在しなかった場合に対応しているので、この技術では、誤った相手に電子メールが発送されてしまう問題を解決することができない。
【０００６】
また、特許文献１に記載の技術は、発信者が電子メールを送信した後に対応するものであるので、この技術では、発信や送信等を実行する前に、宛先指定の誤りを発見し、正すことができない。
【０００７】
近年は、守秘義務を徹底するよう求められるようになっていること等から、誤った相手にＦＡＸや電子メールが送信されてしまうことが、大きな問題となるようになってきている。したがって、誤った相手に電子メールやＦＡＸの送信等を実行する前に、宛先指定の誤りを発見し、正せるようにすることは大変有用である。
【０００８】
本発明は、上述した事情に鑑みてなされたもので、誤って指定された宛先に発信や送信或いは接続等することを極力防ぐことを目的とする。
【課題を解決するための手段】
【０００９】
上記課題を解決するために、本発明の通信装置では、各種の入出力情報を表示する表示部と、通信相手先の情報を少なくとも記憶する記憶部と、記憶部に記憶されている通信相手先の情報を利用せずに、通信相手先の情報のうちのいずれか一つを指定する操作部と、通信相手先の情報を操作部により指定し、送信、発信、接続、もしくは登録のために必要な操作を実行した後に、操作部により指定した通信相手先の情報と記憶部に記憶された通信相手先の情報とを比較し、比較した結果を表示部に警告メッセージとして表示させる制御部と、を備えることを特徴とする。
【００１０】
また本発明は、通信相手先の情報は、通信相手の氏名情報と、電話番号、メールアドレスの少なくとも一方の情報を含むアドレス帳と、URL情報を含むブックマークであることを特徴とする。
【００１１】
また本発明は、通信相手先の情報として、通信相手と関連付けられた画像情報をさらに含むことを特徴とする。
【００１２】
また本発明は、警告メッセージは、操作部により指定した通信相手先の情報が記憶部に記憶されているか否かの通知、操作部により指定した通信相手先の情報と類似する情報が記憶部に記憶されているか否かの通知、類似する情報が記憶部に記憶されている場合はその情報の通知のいずれか一つを少なくとも含むものであることを特徴とする。
【００１３】
また本発明は、類似する情報が画像情報と合わせて記憶部に記憶されている場合は、類似する情報の通知に画像情報を付加して表示部に表示する、もしくは、類似する情報の通知に代えて画像情報を通知して表示部に表示することを特徴とする。
【００１４】
また本発明は、制御部は、操作部により指定した通信相手先の情報が複数存在する場合は、複数の通信相手先の情報同士を比較し、通信相手先の情報同士が同一である又は類似している場合は、その同一又は類似の通信相手先の情報が存在することをさらに表示部に表示することを特徴とする。
【００１５】
また本発明は、操作部による指定は、英文字、数字、漢字、平仮名、カタカナ、記号を含む文字記号情報をキー操作により個別に入力することで行うことを特徴とする。
【００１６】
また本発明は、操作部による指定は、関係するリンク先として表示部に表示されたURL情報を指定することにより行うことを特徴とする。
【００１７】
また本発明は、記憶部は、表示部に表示させる文字の基本寸法と、基本寸法以外の選択可能な異なる文字の寸法をさらに記憶し、制御部は、警告メッセージを表示部に表示する際に、少なくとも類似する情報の通知の部分を基本寸法より大きな寸法にすることを特徴とする。
【００１８】
さらに本発明の通信方法は、通信相手先の情報のうちのいずれか一つを操作部により指定する指定ステップと、送信、発信、もしくは接続のために必要な操作を実行する実行ステップと、実行ステップの後に、入力した通信相手先の情報と、予め記憶部に記憶されている通信相手先の情報とを比較する比較ステップと、比較ステップの結果を表示部に警告メッセージとして表示する表示ステップと、を含むことを特徴とする。
【発明の効果】
【００１９】
本発明によれば、通信相手として指定した情報に類似する情報が記憶部に記憶されている場合にその旨を報知するので、使用者は、通信を実行する前に誤りに気づくことができる。したがって、誤って指定された宛先に発信や送信或いは接続等することを極力防ぐことができるという効果が得られる。
【発明を実施するための最良の形態】
【００２０】
以下、本発明の通信装置の一実施形態である携帯電話機について、図面を参照して説明する。図１は、本実施形態における携帯電話機の構成を示すブロック図である。本実施形態の携帯電話機は、操作部１、表示部２、表示制御部３、無線部４、電話機能部５、記憶部６、制御部７を備えている。
【００２１】
操作部１は、使用者が操作可能な複数のキーを備え、英文字、数字、漢字、平仮名、カタカナ、記号を含む文字記号情報をキー操作により個別に入力する、あるいは関係するリンク先として表示部２に表示されたURL情報を指定するものであり、使用者からの電話発信やメール送信、ＵＲＬ接続等の各種操作を受け付け、制御部７に出力する。
【００２２】
表示部２は、液晶パネル等であり、表示制御部３から入力される画像信号に基づいて各種画像を表示面に表示するものである。
【００２３】
表示制御部３は、制御部７による制御の下に、表示部２に表示すべき画像の制御信号を生成して、表示部２に出力する。
【００２４】
無線部４は、制御部７による制御の下に、基地局との間で無線通信回線を確立して、情報通信を行う。
【００２５】
電話機能部５は、マイク、スピーカ等から構成され、使用者の音声を集音し、通話相手の音声を発音する。
【００２６】
記憶部６は、ＲＯＭ（Read Only Memory）、およびＲＡＭ（Random Access Memory）から構成され、制御部７が実行する電話プログラムやメールプログラム、ブラウザ等の各種プログラムや、各種設定値、通信相手先の情報であるアドレス帳、ブックマーク等を記憶する。
【００２７】
アドレス帳は、使用者が操作部１を用いて登録した通信相手の氏名、電話番号、メールアドレス、顔写真等の画像等を記憶する。
【００２８】
ブックマークは、使用者が操作部１を用いて登録したＵＲＬを記憶する。
【００２９】
記憶部６は、各種設定値の一つとして、使用者が通信相手として指定した情報（メールアドレス、電話番号、ＵＲＬ、氏名等の指定情報）と同一の情報がアドレス帳もしくはブックマーク（通信相手先の情報）に存在しなかった場合に、通信実行を可とするか不可とするかについて、使用者から予め受け付けた設定を記憶している。
【００３０】
また、記憶部６は、各種設定値の一つとして、使用者が通信相手として指定した情報と同一の情報がアドレス帳もしくはブックマークに存在し、且つ、使用者が通信相手として指定した情報に類似の情報がアドレス帳もしくはブックマークに存在する場合に、類似の情報を表示部２に表示するか否かについて、使用者から予め受け付けた設定を記憶している。
【００３１】
更に、記憶部６は、各種設定値の一つとして、表示部２に表示させる文字の基本寸法と、基本寸法以外に選択可能な異なる文字の寸法を記憶している。表示制御部３は、制御部７による制御の下に、記憶部６に記憶された基本寸法に従った大きさの文字を表示部２に表示させる。また、表示制御部３は、制御部７による制御の下に、基本寸法と異なる寸法の文字を表示部２に表示させる。
【００３２】
制御部７は、内部メモリに記憶された制御プログラム及び各種制御用データに基づいて本携帯電話機の全体動作を制御するものであり、上記制御プログラム及び各種制御用データ等に基づいて制御演算を行うＣＰＵ（Central Processing Unit）及び他の各部と信号の授受を行う各種入出力インターフェース回路等から構成されている。
【００３３】
図２は、使用者が操作部１によりメール送信操作を行ったときに携帯電話機が行う処理のフローチャートであり、図３は、表示部２に表示される画像例である。
【００３４】
使用者が、図３（ａ）に示すように、電子メールの編集を終了し、メール送信操作を行うと、使用者による操作を受け付けた操作部１が、制御部７にメール送信操作があったことを示す信号を出力する。この信号を制御部７が受けると（ステップＳ１）、制御部７は、記憶部６が記憶しているアドレス帳に、宛先として指定されたメールアドレスと同一のメールアドレスが登録されているか否か、アドレス帳を確認し（ステップＳ２）、登録されていなかった場合には（ステップＳ２のＹｅｓ）、宛先として指定されたメールアドレスがアドレス帳に登録されていなかった場合にメール送信を可とするか不可とするか、記憶部６に記憶された設定を確認する（ステップＳ３）。
【００３５】
ステップＳ３において、上記設定が可であった場合には（ステップＳ３のＹｅｓ）、制御部７は、アドレス帳に、宛先として指定されたメールアドレスに類似するメールアドレスが登録されているか否か、アドレス帳を確認し（ステップＳ４）、登録されていた場合には（ステップＳ４のＹｅｓ）、制御部７は、類似するメールアドレスに関連付けられた画像の有無を確認し（ステップＳ５）、画像が有った場合には（ステップＳ５のＹｅｓ）、『送信先メールアドレス“xxx@abc.ne.jp”がアドレス帳に登録されていません。送信しますか？（Ｙ／Ｎ）類似メールアドレスが登録されています。“xxx@abc.co.jp”』のような警告メッセージ１に画像を付加して表示部２に表示させる（ステップＳ６）。なお、類似する情報“xxx@abc.co.jp”を通知せずに、画像を付加して表示させてもよい。そして、使用者の判断を待つ。
【００３６】
ステップＳ６における表示部２の画面例は、図３（ｂ）に示すようなものである。この図に示すように、制御部７は、メールアドレスの部分の文字は、基本寸法よりも大きい文字で表示させている。これにより、両者の違いや誤りを発見し易くしている。
【００３７】
ステップＳ５において、画像が無かった場合には（ステップＳ５のＮｏ）、制御部７は、画像なしで上記警告メッセージ１のみを表示部２に表示させる（ステップＳ７）。
【００３８】
ステップＳ４において、アドレス帳に、宛先として指定されたメールアドレスに類似するメールアドレスが登録されていなかった場合には（ステップＳ４のＮｏ）、制御部７は、『送信先メールアドレス“xxx@abc.ne.jp”がアドレス帳に登録されていません。送信しますか？（Ｙ／Ｎ）』のような警告メッセージ２を表示部２に表示させる（ステップＳ８）。
【００３９】
ステップＳ３において、宛先として指定されたメールアドレスがアドレス帳に登録されていなかった場合にメール送信を不可と設定されていた場合には（ステップＳ３のＮｏ）、制御部７は、『送信先メールアドレス“xxx@abc.ne.jp”はアドレス帳に登録されていないので送信できません。』のような警告メッセージ３を表示部２に表示させる（ステップＳ９）。
【００４０】
ステップＳ２において、宛先として指定されたメールアドレスと同一のメールアドレスが登録されていた場合には（ステップＳ２のＮｏ）、同一メールアドレスがアドレス帳に登録されている場合に類似メールアドレスを表示するか否か、記憶部６に記憶された設定を確認する（ステップＳ１０）。
【００４１】
同一メールアドレスがアドレス帳に登録されている場合に類似メールアドレスを表示しないよう設定されていた場合には（ステップＳ１０のＮｏ）、制御部７は、通常と同じ表示を行い（ステップＳ１１）、メール送信を実行する。
【００４２】
ステップＳ１０において、同一メールアドレスがアドレス帳に登録されている場合に類似メールアドレスを表示するよう設定されていた場合には（ステップＳ１０のＹｅｓ）、制御部７は、アドレス帳に、宛先として指定されたメールアドレスに類似するメールアドレスが登録されているか否か、アドレス帳を確認し（ステップＳ１２）、登録されていなかった場合には（ステップＳ１２のＮｏ）、ステップＳ１１へ移り、『送信先メールアドレス“xxx@abc.ne.jp”がアドレス帳に登録されています。送信しますか？（Ｙ／Ｎ）』のように通常と同じ表示を行い（ステップＳ１１）、メール送信を実行する。
【００４３】
ステップＳ１２において、宛先として指定されたメールアドレスに類似するメールアドレスが登録されていた場合には（ステップＳ１２のＹｅｓ）、制御部７は、類似するメールアドレスに関連付けられた画像の有無を確認し（ステップＳ１３）、無かった場合には（ステップＳ１３のＮｏ）、『送信先メールアドレス“xxx@abc.ne.jp”がアドレス帳に登録されています。送信しますか？（Ｙ／Ｎ）類似メールアドレスが登録されています。“xxx@abc.co.jp”』のような警告メッセージ４を表示し（ステップＳ１４）、類似するメールアドレスに関連付けられた画像が有った場合には（ステップＳ１３のＹｅｓ）、前述の警告メッセージ４に画像を付加して表示部２に表示させる（ステップＳ１５）。そして、使用者の判断を待つ。
【００４４】
なお、本実施形態の携帯電話機では、使用者が宛先として、或いはＣＣやＢＣＣとして指定したメールアドレスが複数ある場合、それら各々について、アドレス帳に記憶されたメールアドレスに同一ないし類似のものが有るか否か判断すると共に、更に、宛先或いはＣＣやＢＣＣとして指定された複数のメールアドレス同士を比較し、同一ないし類似のものが有るか否かを判断する。これにより、同じ相手に同じ内容の電子メールを複数送信してしまうことを防止できる。
【００４５】
また、上記フローチャートは、メール送信についての処理であるが、本実施形態の携帯電話機では、メール受信の際にも同様の処理を行っており、その処理の内容は、上記フローチャートの「送信」を「受信」と読み替えた内容のものである。
【００４６】
メール受信についてこの処理を行うことにより、不特定多数から電子メールが送信されてきても、その時々でメール受信を行わないよう選択できるので、ウィルス感染対策としての効果も得ることができる。
【００４７】
更に、本実施形態の携帯電話機では、電話発信の際にも同様の処理を行っており、その処理の内容は、上記フローチャートの「メール送信」を「電話発信」、或いは「送信」を「発信」、更に「メールアドレス」を「電話番号」と読み替えた内容のものである。この場合の表示部２の画面例は、図４に示すようなものである。制御部７は、電話番号の部分の文字を、基本寸法よりも大きい文字で表示させ、これにより、両者の違いや誤りを発見し易くしている。
【００４８】
電話発信についてこの処理を行うことにより、アドレス帳に登録されていない相手に電話をかけようとしている場合や、アドレス帳に登録されていても、電話番号ないし氏名等の登録情報が類似する他者の情報が登録されている場合には、使用者に確認を求めることができるので、誤った相手に電話をかけてしまうことを極力防ぐことができる。
【００４９】
ここで、本実施形態では携帯電話機を例として説明しているが、ファクシミリの送信の場合も同様であって、誤送信を極力防ぐことができる。
【００５０】
また、本実施形態の携帯電話機では、アドレス帳への情報登録の際にも同様の処理を行っており、その処理の内容は、上記フローチャートの「メール送信」を「情報登録」、或いは「送信」を「登録」、更に「メールアドレス」を「情報」と読み替えた内容のものである。
【００５１】
アドレス帳への情報登録に際してこの処理を行うことにより、同じ人物の情報を重複して登録してしまったり、或いは、意図しない情報を更新してしまったりすることを防ぐことができる。
【００５２】
なお、上記フローチャートでは、使用者が宛先として指定したメールアドレス（又は電話番号、或いは情報）とアドレス帳に記憶されたメールアドレス（又は電話番号、或いは情報）とを比較しているが、実施にあたっては、使用者が宛先としてアドレス帳から指定した氏名とアドレス帳に記憶された他の氏名とを比較するのでもよい。
【００５３】
類似しているか否かの判断のやり方としては様々なものがあるが、例えば、比較する両者の違いが一文字である場合に類似していると判断する等がある。
【００５４】
次に、図５のフローチャートを用いて、ＵＲＬを指定してサーバに接続する際の処理について説明する。ここで、URLの指定の仕方としては、キー操作によりURLを個別に入力する方法、あるいは表示部上に表示されているURL情報を指定する方法がある。URL情報とは、URL（例：http://www.abc.co.jp/）を直接明示してリンク先へ移行できることを表示するもの以外に、“Xyz!YY”、“ABC情報”等のようにURLを直接明示せずに文字列で表示されるもの、あるいは画像をもってリンク先へ移行できることを表示させるものを含む。
【００５５】
使用者が、ＵＲＬを指定してサーバに接続する操作を行うと、使用者による操作を受け付けた操作部１が、制御部７にＵＲＬ接続操作があったことを示す信号を出力する。この信号を制御部７が受けると（ステップＳ２１）、制御部７は、記憶部６が記憶しているブックマークに、接続先として指定されたＵＲＬと同一のＵＲＬが登録されているか否か、ブックマークを確認し（ステップＳ２２）、登録されていなかった場合には（ステップＳ２２のＹｅｓ）、接続先として指定されたＵＲＬがブックマークに登録されていなかった場合にＵＲＬ接続を可とするか不可とするか、記憶部６に記憶された設定を確認する（ステップＳ２３）。
【００５６】
ステップＳ２３において、上記設定が可であった場合には（ステップＳ２３のＹｅｓ）、制御部７は、ブックマークに、接続先として指定されたＵＲＬに類似するＵＲＬが登録されているか否か、ブックマークを確認し（ステップＳ２４）、登録されていた場合には（ステップＳ２４のＹｅｓ）、制御部７は、『接続先ＵＲＬ“http://www.abc.ne.jp/”がブックマークに登録されていません。接続しますか？（Ｙ／Ｎ）類似ＵＲＬが登録されています。“http://www.abc.co.jp/”』のような警告メッセージ５を表示部２に表示させる（ステップＳ２５）。そして、使用者の判断を待つ。
【００５７】
ステップＳ２４において、ブックマークに、接続先として指定されたＵＲＬに類似するＵＲＬが登録されていなかった場合には（ステップＳ２４のＮｏ）、制御部７は、『接続先ＵＲＬ“http://www.abc.ne.jp/”がブックマークに登録されていません。接続しますか？（Ｙ／Ｎ）』のような警告メッセージ６を表示部２に表示させる（ステップＳ２６）。
【００５８】
ステップＳ２３において、接続先として指定されたＵＲＬがブックマークに登録されていなかった場合に接続を不可と設定されていた場合には（ステップＳ２３のＮｏ）、制御部７は、『接続先ＵＲＬ“http://www.abc.ne.jp/”はブックマークに登録されていないので接続できません。』のような警告メッセージ７を表示部２に表示させる（ステップＳ２７）。
【００５９】
ステップＳ２２において、接続先として指定されたＵＲＬと同一のＵＲＬが登録されていた場合には（ステップＳ２２のＮｏ）、同一ＵＲＬがブックマークに登録されている場合に類似ＵＲＬを表示するか否か、記憶部６に記憶された設定を確認する（ステップＳ２８）。
【００６０】
同一ＵＲＬがブックマークに登録されている場合に類似ＵＲＬを表示しないよう設定されていた場合には（ステップＳ２８のＮｏ）、制御部７は、『接続先ＵＲＬ“http://www.abc.ne.jp/”がブックマークに登録されています。接続しますか？（Ｙ／Ｎ）』のように通常と同じ表示を行い（ステップＳ２９）、ウェブページ表示やサーバへのデータアップロード等を実行する。
【００６１】
ステップＳ２８において、同一ＵＲＬがブックマークに登録されている場合に類似ＵＲＬを表示するよう設定されていた場合には（ステップＳ２８のＹｅｓ）、制御部７は、ブックマークに、接続先として指定されたＵＲＬに類似するＵＲＬが登録されているか否か、ブックマークを確認し（ステップＳ３０）、登録されていなかった場合には（ステップＳ３０のＮｏ）、ステップＳ２９へ移り、上記のように通常と同じ表示を行い（ステップＳ２９）、ウェブページ表示やサーバへのデータアップロード等を実行する。
【００６２】
ステップＳ３０において、接続先として指定されたＵＲＬに類似するＵＲＬが登録されていた場合には（ステップＳ３０のＹｅｓ）、制御部７は、『接続先ＵＲＬ“http://www.abc.ne.jp/”がブックマークに登録されています。接続しますか？（Ｙ／Ｎ）類似ＵＲＬが登録されています。“http://www.abc.co.jp/”』のような警告メッセージ８を表示部２に表示させる（ステップＳ３１）。そして、使用者の判断を待つ。
【００６３】
これにより、意図しないウェブページを閲覧することになったり、誤ったサーバへデータをアップロードしたりすることを極力防ぐことができる。
【００６４】
ここで、上記の例では、使用者がURLを指定してサーバに接続する操作を行う場合の例を示したが、URLに関連付けられている名前（URL名）を指定して行う場合でも同様に、ブックマークに同一のURL名が有るか否か、ブックマークに類似のURL名が存在するか否か等の判断を行い、警告メッセージを表示する。例えば、「URL名：京セラニュース」を指定してサーバに接続操作した場合、「URL名：京セラニュース」に類似するURL名をブックマークから検索し、URL名：京セラ、URL名：Kyocera news 等を表示する。
【００６５】
また、URLを指定した場合でも、類似判断する対象をURL名として検索してもよいし、その逆にURL名を指定した場合に、URLを対象に検索するようにし、警告メッセージを表示するようにしてもよい。
【００６６】
なお、本実施形態では、携帯電話機を通信装置の一例として説明しているが、実施にあたっては、パーソナルコンピュータや固定電話機、ファクシミリに本発明を適用してもよい。
【図面の簡単な説明】
【００６７】
【図１】本発明の通信装置の一実施形態である携帯電話機の構成を示すブロック図である。
【図２】本発明の通信装置の一実施形態である携帯電話機の使用者が操作部によりメール送信操作を行ったときに携帯電話機が行う処理の流れを示すフローチャートである。
【図３】本発明の通信装置の一実施形態である携帯電話機の表示部に表示される画像例である。
【図４】本発明の通信装置の一実施形態である携帯電話機の表示部に表示される画像例である。
【図５】本発明の通信装置の一実施形態である携帯電話機におけるＵＲＬを指定してサーバに接続する際の処理の流れを示すフローチャートである。
【符号の説明】
【００６８】
１  操作部
２  表示部
３  表示制御部
４  無線部
５  電話機能部
６  記憶部
７  制御部
【図１】
2007259407.tif 000003
【図２】
2007259407.tif 000004
【図３】
2007259407.tif 000005
【図４】
2007259407.tif 000006
【図５】
2007259407.tif 000007